(57)【要約】【課題】特にカギの形状を数値化することにより、高精度に複数のカギを複製できるカギ作製用治具を提供する。【解決手段】板体を有し、該板体の表面に間隔をおいて複数の細長孔が形成され、該細長孔は、開放端を有し、該板体の表面における、１つの細長孔の両側にそれぞれ、スケールが設けられ、その他の細長孔の内壁面にそれぞれ、サイズの異なるカギ山が突設され、該板体の表面における、該カギ山と対応する箇所に、番号が付されるものである。【選択図】図１
0003173237.tif 000002
【実用新案登録請求の範囲】
【請求項１】
板体を有し、該板体の表面に間隔をおいて複数の細長孔が形成され、該細長孔は、開放端を有し、該板体の表面における、１つの細長孔の両側にそれぞれ、スケールが設けられ、その他の細長孔の内壁面にそれぞれ、サイズの異なるカギ山が突設され、該板体の表面における、該カギ山と対応する箇所に、番号が付されることを特徴とするカギ作製用治具。
【請求項２】
前記細長孔の開放端に、外側に向かって展開する形状を呈する段差部が設けられることを特徴とする請求項１に記載のカギ作製用治具。
【請求項３】
前記板体の底面に底板が設けられることを特徴とする請求項１に記載のカギ作製用治具。
【請求項４】
前記板体の底面に底板が設けられることを特徴とする請求項２に記載のカギ作製用治具。
【請求項５】
前記板体の底面に五つの細長孔が形成され、
前記スケールは、該細長孔の開放端から閉鎖端まで等間隔で、１、２、３、４、５、６、７、８、９等の数字が付され、
前記カギ山は、それぞれ４種類のサイズを有し、そのサイズは、大きさにより１、２、３或いは４の数字が付されることを特徴とする請求項１乃至４の何れか１項に記載のカギ作製用治具。
【考案の詳細な説明】
【技術分野】
【０００１】
本考案は、特にカギの形状を数値化することにより、高精度に複数のカギを複製することができるカギ作製用治具に関するものである。
【背景技術】
【０００２】
カギは、錠前を解錠するためのものであり、主に本体と、該本体の一端から延出するキー部と、該キー部の両側に設けられる歯状部と、該歯状部に形成される、同じ深さ或いは異なる深さの複数のカギ溝部及びカギ山と、を有し、そのカギ山により、錠前内部のロックボールを押して錠前を施錠及び解錠する。
【０００３】
従来では、カギを複製する時、複製したいカギのサンプルを、カギ複製器の一方の挟持具に位置決め固定すると共に、合鍵を他方の挟持具に位置させ、カギ複製器の研磨具により、合鍵を削り加工してカギの歯状部と同一の形状を削り、カギの複製を製作する。
【考案の概要】
【考案が解決しようとする課題】
【０００４】
しかしながら、前記従来のカギの複製方法においては、以下のような欠点を有する。
【０００５】
従来のカギの複製方法により複製されたカギは、サンプルのカギとの間にわずかな誤差を有し、それは、カギ複製器、或いはマシンを操作する鍵師により起こる問題である。故に、その複製されたカギをサンプルとして、再びカギを複製した場合、その誤差が更に大きくなる恐れがあり、また、多数のカギを複製したい場合、誤差を有するカギをサンプルとして、何度も複製すると、最初のカギと相当の誤差を生じてしまい、解錠できないという問題もあった。
【課題を解決するための手段】
【０００６】
本考案に係るカギの治具は、板体を有し、該板体の表面に間隔をおいて複数の細長孔が形成され、該細長孔は、開放端を有し、該板体の表面における、１つの細長孔の両側にそれぞれ、スケールが設けられ、その他の細長孔の内壁面にそれぞれ、サイズの異なるカギ山が突設され、該板体の表面における、該カギ山と対応する箇所に、番号が付されるものである。
【０００７】
前記細長孔の開放端に、外側に向かって展開する形状を呈する段差部が設けられることが好ましい。
【０００８】
前記板体の底面に底板が設けられることが好ましい。
【０００９】
前記板体の底面に五つの細長孔が形成され、
前記スケールは、該細長孔の開放端から閉鎖端まで等間隔で、１、２、３、４、５、６、７、８、９等の数字が付され、
前記カギ山は、それぞれ４種類のサイズを有し、そのサイズは、大きさにより１、２、３或いは４の数字が付されることが好ましい。
【考案の効果】
【００１０】
本考案は、上記の構成を有し、カギをカギ作製用治具で測定すると共に、長さ及び深さの数字のデータを記録することにより、一旦、カギを複製すれば、サンプルを用いることなく、何度も高精度にカギを複製することができる。
【図面の簡単な説明】
【００１１】
【図１】本考案に係るカギ作製用治具の斜視図である。
【図２】本考案に係るカギ作製用治具の平面図である。
【図３】本考案に係るカギ作製用治具の使用状態を示す平面図である。
【図４】本考案に係るカギ作製用治具の他の使用状態を示す平面図である。
【考案を実施するための形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１及び図２に示すように、本考案に係るカギ作製用治具は、板体１０を有し、該板体１０の表面に間隔をおいて複数の細長孔１１、１１Ａが形成され、その複数の細長孔１１、１１Ａはそれぞれ、開放端と閉鎖端とを有し、該開放端には、展開状を呈する段差部１１１、１１１Ａが設けられ、該板体１０の表面における、１つの細長孔１１の両側にそれぞれ、スケールが設けられ、その他の細長孔１１における開放端の近傍の内壁面にそれぞれ、サイズの異なるカギ山１２Ａが突設され、該板体１０の表面における、該カギ山１２Ａと対応する箇所に、番号が付され、また、該板体１０の底面に底板１３が設けられ、該底板１３を設けることにより、該細長孔１１、１１Ａを凹状とする。
【００１４】
前記細長孔１１、１１Ａの長さ及びカギ山１２Ａのサイズは、カギの形状によって設計されるものであり、図に示すような実施例においては、前記板体１０に、１つの細長孔１１及び４つの細長孔１１Ａが形成され、その長さを表示するスケールは、該細長孔１１の開放端から閉鎖端において等間隔で、１、２、３、４、５、６、７、８、９等の数字が付され、また、前記カギ山１２Ａは、山型を呈すると共に、４種類のサイズを有し、そのサイズには、その大きさにより１、２、３、或いは４の数字が付される。
【００１５】
図３に示すように、本考案によりカギ２０を測定する時は、先ず、柄部２１の端部を細長孔１１の段差部１１１に当接するように、カギ２０を、そのスケールが付された細長孔１１に嵌め込み、カギ凹部２２におけるスケールと対応する数字を記録する。尚、この数字は、前記各カギ凹部２２の長さを数値化したものである。また、図４に示すように、前記カギ２０の各カギ凹部２２は、それぞれのカギ山１２Ａと対照することにより、その形状と対応するカギ山１２Ａの数字を記録する。尚、この数字も前記と同様に、各カギ凹部２２の深さを数値化したものである。このように、本考案においては、カギ２０の数字のデータを記録する。
【００１６】
上記本考案によれば、前記カギ２０を複製したい時に、カギ２０の数字のデータを鍵師に提供することにより、適当な合鍵を選んでカギを複製することができることから、カギ２０をサンプルとして用いなくても、多数のカギを高精度に複製することができる。
【００１７】
図に示すカギ２０は、本考案に係るカギ作製用治具を使用して測定するものである。また、本考案では、長さ及び深さのサイズを以下に示す数字により表示する。
【表１】
0003173237.tif 000003
カギ２０を例とした場合、鍵師は、先ず、１から９までの番号が付された位置に異なるカギ凹部２２を有する３６種類のサンプルカギを用意する、その後、複製したいカギの数字のデータにより、対応するサンプルカギをそれぞれ引き出して合鍵を製作することができる。
【００１８】
上述した例では、カギ凹部２２が長さ５及び深さ３を有するサンプルカギと、カギ凹部２２が長さ６及び深さ３を有するサンプルカギと、カギ凹部２２が長さ８及び深さ２を有するサンプルカギと、を引き出してキー部の一側を複製すると共に、カギ凹部２２が長さ１及び深さ２を有するサンプルカギと、カギ凹部２２が長さ３及び深さ４を有するサンプルカギと、カギ凹部２２が長さ７及び深さ１を有するサンプルカギと、カギ凹部２２が長さ９及び深さ４を有するサンプルカギと、を引き出してキー部の他側を複製すると、合鍵が完成する。それによれば、カギ２０の数字のデータがあれば、高精度に合鍵を複製することができる。
【産業上の利用可能性】
【００１９】
本考案は、上記の構成を有することから、カギ作製用治具でカギの長さや深さを測定すると共に、長さ及び深さにおける数字のデータを記録することから、一旦、カギを複製すれば、その数字のデータを鍵師に提供することにより、カギのサンプルを用いずに、何度でも合鍵を高精度に複製することができる。
【符号の説明】
【００２０】
１０  板体
１１、１１Ａ  細長孔
１１１、１１１Ａ  段差部
１２Ａ  カギ山
１３  底板
２０  カギ
２１  柄部
２２  カギ凹部
【図１】
0003173237.tif 000004
【図２】
0003173237.tif 000005
【図３】
0003173237.tif 000006
【図４】
0003173237.tif 000007
【手続補正書】
【提出日】平成23年11月18日(2011.11.18)
【手続補正１】
【補正対象書類名】実用新案登録請求の範囲
【補正対象項目名】全文
【補正方法】変更
【補正の内容】
【実用新案登録請求の範囲】
【請求項１】
板体を有し、該板体の表面に間隔をおいて複数の細長孔が形成され、該細長孔は、開放端を有し、該板体の表面における、１つの細長孔の両側にそれぞれ、スケールが設けられ、その他の細長孔の内壁面にそれぞれ、サイズの異なるカギ山が突設され、該板体の表面における、該カギ山と対応する箇所に、番号が付されることを特徴とするカギ作製用治具。
【請求項２】
前記細長孔の開放端に、外側に向かって展開する形状を呈する段差部が設けられることを特徴とする請求項１に記載のカギ作製用治具。
【請求項３】
前記板体の底面に底板が設けられることを特徴とする請求項１に記載のカギ作製用治具。
【請求項４】
前記板体の底面に底板が設けられることを特徴とする請求項２に記載のカギ作製用治具。
【請求項５】
前記板体の表面に間隔をおいて形成される複数の細長孔は、五つの細長孔であり、
前記スケールは、該細長孔の開放端から閉鎖端まで等間隔で、１、２、３、４、５、６、７、８、９等の数字が付され、
前記カギ山は、それぞれ４種類のサイズを有し、そのサイズは、大きさにより１、２、３或いは４の数字が付されることを特徴とする請求項１乃至４の何れか１項に記載のカギ作製用治具。
【手続補正２】
【補正対象書類名】明細書
【補正対象項目名】０００９
【補正方法】変更
【補正の内容】
【０００９】
前記板体の表面に間隔をおいて形成される複数の細長孔は、五つの細長孔であり、
前記スケールは、該細長孔の開放端から閉鎖端まで等間隔で、１、２、３、４、５、６、７、８、９等の数字が付され、
前記カギ山は、それぞれ４種類のサイズを有し、そのサイズは、大きさにより１、２、３或いは４の数字が付されることが好ましい。